(57)【要約】  【課題】  テレビジョン受像機が認証処理を行う場合に比して、視聴制限に係る操作性が高く、低コストで構成することができる遠隔操作システムを提供することを目的とする。  【解決手段】  視聴制限機能を備えるテレビジョン受像機１と、チャンネル選択に係る操作信号を送信するようにしてある遠隔操作装置２とを備える遠隔操作システムにおいて、被認証番号を遠隔操作装置２にて受け付け、受け付けた被認証番号と予め記憶した認証番号とを照合し、被認証番号と認証番号とが一致した場合、選択されたチャンネルの視聴制限を解除する解除信号を送信するように構成し、テレビジョン受像機１は、送信手段が送信するチャンネル選択に係る操作信号及び解除信号を受信した場合、選択されたチャンネルの視聴制限を解除するように構成する。【選択図】        図１
2006140833.tif 000002
【特許請求の範囲】
【請求項１】
機能制限を行う制限手段を備える電気機器と、該電気機器に係る操作信号を送信するようにしてある遠隔操作装置とを備える遠隔操作システムにおいて、
前記遠隔操作装置は、
予め設定した認証情報を記憶する記憶手段と、
被認証情報を受け付ける受付手段と、
該受付手段により受け付けた被認証情報と前記記憶手段が記憶する認証情報とを照合し、被認証情報と認証情報とが一致するか否かを判定する判定手段と、
被認証情報と認証情報とが一致すると前記判定手段が判定した場合、機能制限を解除する解除信号を送信する送信手段と
を備え、
前記電気機器は、
前記送信手段が送信する解除信号を受信する受信手段と、
該受信手段が解除信号を受信した場合、前記制限手段の機能制限を解除する手段と
を備えることを特徴とする遠隔操作システム。
【請求項２】
チャンネルに対する視聴制限を行う制限手段を備えるテレビジョン受像機と、該テレビジョン受像機のチャンネル選択に係る操作信号を送信するようにしてある遠隔操作装置とを備える遠隔操作システムにおいて、
前記遠隔操作装置は、
予め設定した認証情報を記憶する記憶手段と、
被認証情報及びチャンネル指定を受け付ける受付手段と、
該受付手段により受け付けた被認証情報と前記記憶手段が記憶する認証情報とを照合し、被認証情報と認証情報とが一致するか否かを判定する判定手段と、
被認証情報と認証情報とが一致すると前記判定手段が判定した場合、チャンネルに対する視聴制限を解除する解除信号及び指定されたチャンネルのチャンネル選択に係る操作信号を送信する送信手段と
を備え、
前記テレビジョン受像機は、
前記送信手段が送信するチャンネル選択に係る操作信号及び解除信号を受信する受信手段と、
視聴制限されているチャンネルのチャンネル選択に係る操作信号、及び解除信号を前記受信手段が受信した場合、前記チャンネルに対する視聴制限を解除する手段と
を備えることを特徴とする遠隔操作システム。
【請求項３】
機能制限を行うようにしてある電気機器に係る操作信号を送信するようにしてある遠隔操作装置において、
予め設定した認証情報を記憶する記憶手段と、
被認証情報を受け付ける受付手段と、
該受付手段により受け付けた被認証情報と前記記憶手段が記憶する認証情報とを照合し、被認証情報と認証情報とが一致するか否かを判定する判定手段と、
被認証情報と認証情報とが一致すると前記判定手段が判定した場合、機能制限を解除する解除信号を送信する送信手段と
を備えることを特徴とする遠隔操作装置。
【請求項４】
チャンネルに対する視聴制限を行うテレビジョン受像機のチャンネル選択に係る操作信号を送信するようにしてある遠隔操作装置において、
予め設定した認証情報を記憶する記憶手段と、
被認証情報及びチャンネル指定を受け付ける受付手段と、
該受付手段により受け付けた被認証情報と前記記憶手段が記憶する認証情報とを照合し、被認証情報と認証情報とが一致するか否かを判定する判定手段と、
被認証情報と認証情報とが一致すると前記判定手段が判定した場合、チャンネルに対する視聴制限を解除する解除信号及び指定されたチャンネルのチャンネル選択に係る操作信号を送信する送信手段と
を備えることを特徴とする遠隔操作装置。
【請求項５】
機能制限を行う制限手段と、遠隔操作装置が送信する信号を受信する受信手段とを備える電気機器において、
前記受信手段は、
前記制限手段の機能制限を解除する解除信号を受信するようにしてあり、
前記受信手段が解除信号を受信した場合、前記制限手段の機能制限を解除する手段を備える
ことを特徴とする電気機器。
【請求項６】
チャンネルに対する視聴制限を行う制限手段と、遠隔操作装置が送信する信号を受信する受信手段とを備えるテレビジョン受像機において、
前記受信手段は、
チャンネル選択に係る操作信号、及びチャンネルに対する視聴制限を解除する解除信号を受信するようにしてあり、
視聴制限されているチャンネルのチャンネル選択に係る操作信号、及びチャンネルに対する視聴制限を解除する解除信号を前記受信手段が受信した場合、前記チャンネルに対する視聴制限を解除する手段を備える
ことを特徴とするテレビジョン受像機。
【発明の詳細な説明】
【技術分野】
【０００１】
本発明は、遠隔操作システムに関し、特に機能制限を行うようにしてある電気機器、又は視聴制限を行うようにしてあるテレビジョン受像機と、前記電気機器又は前記テレビジョン受像機に係る操作信号を送信する遠隔操作装置とを備える遠隔操作システムに関する。
【背景技術】
【０００２】
従来の遠隔操作システムは、視聴制限機能を有するテレビジョン受像機と、該テレビジョン受像機を操作するための操作信号を送信する遠隔操作装置とを備えている。視聴制限機能は、映像及び音声の視聴を制限し、暴力映像、わいせつ映像等を子供が視聴することを防ぐために備えられた機能である。
【０００３】
遠隔操作装置は、所望のチャンネルを指定するためのチャンネルボタン、音量を調整するための音量調整ボタン、視聴制限を解除するための認証ボタン等を備えている。認証ボタン、チャンネルボタン、音量調整ボタンが操作された場合、遠隔操装置は、各種ボタンの操作に応じた操作信号を赤外線により送信するように構成されている。例えば、認証ボタンが操作された場合、遠隔操作装置は、被認証番号の受け付けをテレビジョン受像機に開始させるための操作信号を送信する。また、チャンネルボタンが操作された場合、遠隔操作装置は、チャンネル選択に係る操作信号を送信する。
【０００４】
テレビジョン受像機は、視聴制限を行うための認証番号を記憶する記憶部と、遠隔操作装置が送信する操作信号を受信する受信部とを備えている。テレビジョン受像機は、認証ボタンに係る操作信号を受信した場合、被認証番号の受け付けを開始し、続けてチャンネルボタンに係る操作信号を受信した場合、指定されたチャンネルの番号を被認証番号として受け付ける。被認証番号及び認証番号は、例えば４桁の数字である。そして、テレビジョン受像機は、受け付けた被認証番号と、認証番号とが一致した場合、視聴制限を解除するように構成されている。
【０００５】
このように構成される遠隔操作システムにおいては、認証番号に一致する被認証番号が入力されるまでの間、テレビジョン受像機は、映像又は音声の視聴を制限する。
【０００６】
なお、４桁の数字を認証情報として用いているが、指紋、声紋、虹彩に係る個人情報を認証情報として用いても良い。
【特許文献１】特開平１１−２５２４０３号公報
【発明の開示】
【発明が解決しようとする課題】
【０００７】
しかしながら、従来の遠隔操作システムにおいては、被認証情報を遠隔操作装置からテレビジョン受像機へ送信するため、被認証情報の情報量が多い程、送信エラーの発生率が高くなり、遠隔操作装置による視聴制限の解除に係る操作性が低下するという問題があった。例えば、４桁の被認証番号を送信する場合であっても、人物のような障害物がテレビジョン受像機及び遠隔操作装置間を遮った場合、テレビジョン受像機は正しい被認証番号を受信することができないため、適切に視聴制限を解除することができず、視聴制限の解除に係る操作性が低下する。上述の問題は、被認証情報として、指紋、声紋、又は虹彩に係る被認証情報を使用した場合、より深刻になる。
【０００８】
なお、遠隔操作装置及びテレビジョン受像機が被認証情報の送受信の確認、又は情報の
誤り訂正等を行う場合、被認証情報を正しく伝達することが可能となるが、送信処理が複雑になり、ハードウェア構成が複雑になるという問題が生じる。
【０００９】
また、遠隔操作装置に比して急速に進歩する視聴技術に対応するためにテレビジョン受像機のハードウェア構成も、短期間で変化するが、ハードウェア構成が変化した場合、認証に関するソフトウェアも新たに作成する必要があり、高コストになるという問題があった。
【００１０】
更に、上述の問題はテレビジョン受像機に限らず、装置が有する機能の制限を行う電気機器一般に生じる問題である。
【００１１】
本発明は、斯かる事情に鑑みてなされたものであり、遠隔操作装置が認証番号の認証処理を行い、認証結果に応じて解除信号を送信するようにし、電気機器は、解除信号を受信した場合、機能制限を解除するように構成することにより、認証処理を電気機器が行う場合に比して、機能制限に係る操作性が高く、しかも低コストで構成することができる遠隔操作システム、該遠隔操作システムを構成する電気機器及び遠隔操作装置を提供することを目的とする。
【００１２】
また、遠隔操作装置が認証処理を行い、認証結果に応じて解除信号を送信するようにし、テレビジョン受像機は、解除信号を受信した場合、視聴制限を解除するように構成することにより、認証処理をテレビジョン受像機が行う場合に比して、視聴制限に係る操作性が高く、しかも低コストで構成することができる遠隔操作システム、該遠隔操作システムを構成するテレビジョン受像機及び遠隔操作装置を提供することを他の目的とする。
【課題を解決するための手段】
【００１３】
本発明に係る遠隔操作システムは、機能制限を行う制限手段を備える電気機器と、該電気機器に係る操作信号を送信するようにしてある遠隔操作装置とを備える遠隔操作システムにおいて、前記遠隔操作装置は、予め設定した認証情報を記憶する記憶手段と、被認証情報を受け付ける受付手段と、該受付手段により受け付けた被認証情報と前記記憶手段が記憶する認証情報とを照合し、被認証情報と認証情報とが一致するか否かを判定する判定手段と、被認証情報と認証情報とが一致すると前記判定手段が判定した場合、機能制限を解除する解除信号を送信する送信手段とを備え、前記電気機器は、前記送信手段が送信する解除信号を受信する受信手段と、該受信手段が解除信号を受信した場合、前記制限手段の機能制限を解除する手段とを備えることを特徴とする。
【００１４】
本発明に係る遠隔操作システムは、チャンネルに対する視聴制限を行う制限手段を備えるテレビジョン受像機と、該テレビジョン受像機のチャンネル選択に係る操作信号を送信するようにしてある遠隔操作装置とを備える遠隔操作システムにおいて、前記遠隔操作装置は、予め設定した認証情報を記憶する記憶手段と、被認証情報及びチャンネル指定を受け付ける受付手段と、該受付手段により受け付けた被認証情報と前記記憶手段が記憶する認証情報とを照合し、被認証情報と認証情報とが一致するか否かを判定する判定手段と、被認証情報と認証情報とが一致すると前記判定手段が判定した場合、チャンネルに対する視聴制限を解除する解除信号及び指定されたチャンネルのチャンネル選択に係る操作信号を送信する送信手段とを備え、前記テレビジョン受像機は、前記送信手段が送信するチャンネル選択に係る操作信号及び解除信号を受信する受信手段と、視聴制限されているチャンネルのチャンネル選択に係る操作信号、及び解除信号を前記受信手段が受信した場合、前記チャンネルに対する視聴制限を解除する手段とを備えることを特徴とする。
【００１５】
本発明に係る遠隔操作装置は、機能制限を行うようにしてある電気機器に係る操作信号を送信するようにしてある遠隔操作装置において、予め設定した認証情報を記憶する記憶
手段と、被認証情報を受け付ける受付手段と、該受付手段により受け付けた被認証情報と前記記憶手段が記憶する認証情報とを照合し、被認証情報と認証情報とが一致するか否かを判定する判定手段と、被認証情報と認証情報とが一致すると前記判定手段が判定した場合、機能制限を解除する解除信号を送信する送信手段とを備えることを特徴とする。
【００１６】
本発明に係る遠隔操作装置は、チャンネルに対する視聴制限を行うテレビジョン受像機のチャンネル選択に係る操作信号を送信するようにしてある遠隔操作装置において、予め設定した認証情報を記憶する記憶手段と、被認証情報及びチャンネル指定を受け付ける受付手段と、該受付手段により受け付けた被認証情報と前記記憶手段が記憶する認証情報とを照合し、被認証情報と認証情報とが一致するか否かを判定する判定手段と、被認証情報と認証情報とが一致すると前記判定手段が判定した場合、チャンネルに対する視聴制限を解除する解除信号及び指定されたチャンネルのチャンネル選択に係る操作信号を送信する送信手段とを備えることを特徴とする。
【００１７】
本発明に係る電気機器は、機能制限を行う制限手段と、遠隔操作装置が送信する信号を受信する受信手段とを備える電気機器において、前記受信手段は、前記制限手段の機能制限を解除する解除信号を受信するようにしてあり、前記受信手段が解除信号を受信した場合、前記制限手段の機能制限を解除する手段を備えることを特徴とする。
【００１８】
本発明に係るテレビジョン受像機は、チャンネルに対する視聴制限を行う制限手段と、遠隔操作装置が送信する信号を受信する受信手段とを備えるテレビジョン受像機において、前記受信手段は、チャンネル選択に係る操作信号、及びチャンネルに対する視聴制限を解除する解除信号を受信するようにしてあり、視聴制限されているチャンネルのチャンネル選択に係る操作信号、及びチャンネルに対する視聴制限を解除する解除信号を前記受信手段が受信した場合、前記チャンネルに対する視聴制限を解除する手段を備えることを特徴とする。
【００１９】
本発明に係る遠隔操作システム、該遠隔操作システムを構成する電気機器及び遠隔操作装置にあっては、遠隔操作装置が、受付手段により被認証情報を受け付け、受け付けた被認証情報と、予め記憶手段が記憶する認証情報とを照合し、被認証情報と認証情報とが一致した場合、送信手段により解除信号を送信する。そして、電気機器が、遠隔操作装置から送信された解除信号を受信手段により受信した場合、制限手段による機能制限を解除する。つまり、解除信号が遠隔操作装置から電機機器へ送信され、被認証情報は遠隔操作装置から電機機器へ送信されない。従って、被認証情報の情報量に関わらず、一定情報量の解除信号が電気機器へ送信され、被認証情報の情報量が大きい場合であっても、解除に係る操作性は低下しない。
【００２０】
本発明に係る遠隔操作システム、該遠隔操作システムを構成するテレビジョン受像機及び遠隔操作装置にあっては、遠隔操作装置が、受付手段により被認証情報を受け付け、受け付けた被認証情報と、予め記憶手段が記憶する認証情報とを照合し、被認証情報と認証情報とが一致した場合、送信手段により解除信号を送信する。そして、テレビジョン受像機が、遠隔操作装置から送信された解除信号を受信手段により受信した場合、制限手段による視聴制限を解除する。つまり、解除信号が遠隔操作装置からテレビジョン受像機へ送信され、被認証情報は遠隔操作装置からテレビジョン受像機へ送信されない。従って、被認証情報の情報量に関わらず、一定情報量の解除信号がテレビジョン受像機へ送信され、被認証情報の情報量が大きい場合であっても、解除に係る操作性は低下しない。
【００２１】
また、技術の進歩によるハードウェア構成の変化は、遠隔操作装置に比してテレビジョン受像機の方が速いが、視聴制限を解除するための認証処理を遠隔操作装置側にて行うため、テレビジョン受像機のハードウェア構成の変化に合わせて認証処理に係るソフトウェ
アを再設計する必要はない。
【発明の効果】
【００２２】
本発明に係る遠隔操作システム、電気機器及び遠隔操作装置にあっては、認証処理を電気機器が行う場合に比して、機能制限に係る操作性が高く、低コストで構成することができる。
【００２３】
本発明に係る遠隔操作システム、テレビジョン受像機及び遠隔操作装置にあっては、認証処理をテレビジョン受像機が行う場合に比して、視聴制限に係る操作性が高く、低コストで構成することができる。
【発明を実施するための最良の形態】
【００２４】
以下、本発明をその実施の形態を示す図面に基づいて詳述する。
【００２５】
図１は、本発明に係る遠隔操作システムの構成を示す模式図である。本実施の形態に係る遠隔操作システムは、テレビジョン受像機１、及び遠隔操作装置２を備え、テレビジョン受像機１は、遠隔操作装置２が送信する赤外線の信号を受信するように構成されている。
【００２６】
テレビジョン受像機１は、略直方体の筐体１ａを備え、筐体１ａは液晶パネルを用いてなる表示部１２を収容し、正面側に表示部１２の表示面を配している。筐体１ａの表示部１２より下側の部位には、電源ボタン１０と、遠隔操作装置２が送信する赤外線の信号を受信する受信部１１とが設けられており、表示部１２の左右側の部位にはスピーカ１３が設けられている。
【００２７】
図２は、テレビジョン受像機１の構成を示すブロック図である。テレビジョン受像機１は、アンテナＡにて受信したＶＨＦ又はＵＨＦテレビジョン放送信号のＲＦ（Ｒａｄｉｏ
Ｆｒｅｑｕｅｎｃｙ）信号が入力されるチューナ部１４ｂ、及び制御部１４ａを備えている。制御部１４ａは、遠隔操作装置２から送信される信号の受信、視聴及び視聴制限に係る処理を実行するためのプログラムを記憶するＲＯＭ、ＲＯＭが記憶するプログラムを実行するＣＰＵ、一時記憶用のＲＡＭ等を備えている。
【００２８】
制御部１４ａは、同調すべきチャンネルを選択するためのチャンネル選択信号をチューナ部１４ｂへ出力する機能を有しており、チューナ部１４ｂは、制御部１４ａから出力されたチャンネル選択信号に基づいて特定周波数のＲＦ信号を選択及び増幅し、増幅した信号を中間周波信号に変換する。変換された中間周波信号は、中間周波増幅部１４ｃへ出力される。中間周波増幅部１４ｃは、チューナ部１４ｂから出力された中間周波信号から、映像中間周波信号と音声中間周波信号とを分離し、分離した映像中間周波信号及び音声中間周波信号を増幅して、夫々映像検波部１４ｄ及び音声検波部１４ｅへ出力する。
【００２９】
映像検波部１４ｄは、中間周波増幅部１４ｃから出力された映像中間周波信号から、輝度信号、色差信号、帰線消去信号、同期信号等が重畳した映像信号の分離及び検波を行い、検波した映像信号を信号処理部１６へ出力する。音声検波部１４ｅは、中間周波増幅部１４ｃから出力された音声中間周波信号から音声ＦＭ信号を検波し、更に音声ＦＭ信号から音声信号の検波を行い、検波した音声信号を信号処理部１６へ出力する。
【００３０】
信号処理部１６は、輝度信号及び色差信号に基づいて、ＲＧＢ（Ｒ：Ｒｅｄ，Ｇ：Ｇｒｅｅｎ，Ｂ：Ｂｌｕｅ）信号を復調する機能、映像検波部１４ｄから出力された映像信号から垂直同期信号及び水平同期信号を分離する機能を有しており、分離した垂直同期信号及び水平同期信号、並びにＲＧＢ信号を表示部１２へ出力する。
【００３１】
表示部１２は、液晶パネルを駆動する駆動部、該駆動部を制御するコントローラ等を備えている。コントローラは、信号処理部１６から出力されたＲＧＢ信号、水平同期信号及び垂直同期信号に基づいて駆動部を駆動制御し、液晶パネルに画像を表示する。
【００３２】
また、信号処理部１６は、音声検波部１４ｅから出力された音声信号を増幅してスピーカ１３へ出力する。スピーカ１３は、信号処理部１６から出力された音声信号に基づいて音声を再生する。
【００３３】
制御部１４ａには、選択された視聴対象のチャンネル、視聴制限を行うチャンネル等を示すデータを記憶する記憶部１５が設けられており、記憶部１５が記憶しているデータに基づいて、制御部１４ａは、選択されたチャンネル、及び視聴制限を行うチャンネルを示す信号を信号処理部１６へ出力して信号処理部１６の信号出力を制御する。信号処理部１６は、制御部１４ａから出力される信号に基づいて、特定のチャンネルの視聴を制限する視聴制限部１６ａを備えている。視聴制限部１６ａは、検波した映像信号により復調したＲＧＢ信号の表示部１２への出力と、音声信号のスピーカ１３への出力とを停止し、所定の画像、例えば単色画像を表示するためのＲＧＢ信号等を表示部１２へ出力する機能を有している。なお、初期状態の記憶部１５は、全チャンネルについて視聴制限を行わないことを示すデータを記憶している。
【００３４】
また、制御部１４ａには、受信部１１及び電源ボタン１０が接続されており、制御部１４ａは、受信部１１が受信する信号と、電源ボタン１０の操作状態とを検出できるように構成されている。
【００３５】
一方、遠隔操作装置２は、図１に示すように扁平な略直方体形状の筐体を備え、筐体の正面には、電源ボタン２０、認証番号設定ボタン２１、認証ボタン２２、視聴制限ボタン２３、チャンネルボタン２４、音量調整ボタン２５、及び液晶の表示パネル２７が配設されている。電源ボタン２０は、テレビジョン受像機１が備えるチューナ部１４ｂ、信号処理部１６、表示部１２、スピーカ１３等への給電をオン／オフするためのボタンである。表示パネル２７は、被認証番号の認証結果、認証状態等を表示する。視聴制限ボタン２３は、視聴の制限を操作するボタンである。また、筐体の一側面には、テレビジョン受像機１へ赤外線の信号を送信する送信部２６が設けられている。
【００３６】
図３は、遠隔操作装置２の構成を示すブロック図である。遠隔操作装置２は、制御部２８を備えており、制御部２８は、認証、視聴制限等に関する信号の送信に係る処理を実行するためのプログラムを記憶するＲＯＭ、ＲＯＭが記憶するプログラムを実行するＣＰＵ、一時記憶用のＲＡＭ等を備えている。制御部２８の入出力端子には、電源ボタン２０、認証番号設定ボタン２１、認証ボタン２２、視聴制限ボタン２３、チャンネルボタン２４及び音量調整ボタン２５が接続され、各種ボタンの操作状態は制御部２８により検出されるように構成されている。
【００３７】
また、制御部２８には、認証番号設定ボタン２１及びチャンネルボタン２４により受け付けた認証番号、認証済か否かの認証状態を示すフラグ等を記憶するための記憶部２９と、テレビジョン受像機１を操作するための信号を赤外線により送信する送信部２６とが接続されている。認証番号は、例えば４桁の数字であり、初期状態の記憶部２９は、００００のような所定の数字を認証番号として記憶している。また、初期状態の記憶部２９は、未認証の状態にあることを示すフラグを記憶している。
【００３８】
制御部２８は、各種ボタンの操作状態に応じて、テレビジョン受像機１のチャンネル選択に係る操作信号、テレビジョン受像機１の視聴制限を解除するための解除信号等を送信
部２６により送信する。制御部２８は、認証ボタン２２及びチャンネルボタン２４により受け付けた被認証番号と、記憶部２９が記憶する認証番号とを照合し、被認証番号と認証番号とが一致した場合、視聴制限を解除するための解除信号を送信し、被認証番号と認証番号とが一致しない場合、視聴制限の解除を行わないことを示す非解除信号を送信するように構成されている。
【００３９】
図４は、遠隔操作装置２が送信する操作信号、解除信号、及び非解除信号のコードを示す概念図である。図４（ａ）は、被認証番号と認証番号とが一致した場合に、遠隔操作装置２が送信する解除信号及び操作信号を含む信号のコードを示している。該信号のコードは、リーダコード、機器コード、機器コードの反転コード、解除コード、解除コードの反転コード、操作コード、及び操作コードの反転コードよりなる。リーダコードは、遠隔操作装置２からの信号であることを認識させるためのコードであり、機器コードは、テレビジョン受像機１のメーカ名、製品名等を識別するための８ビットのコードである。解除コードは、視聴制限の解除の制御を指示するための５ビットのコードであり、例えば、１１０００のコードよりなる。操作コードは、電源のオン／オフ、チャンネル選択等の操作を示す８ビットのコードである。
【００４０】
図４（ｂ）は、被認証番号と認証番号とが一致しない場合に、遠隔操作装置２が送信する非解除信号及び操作信号を含む信号のコードを示している。該信号のコードは、リーダコード、機器コード、機器コードの反転コード、非解除コード、非解除コードの反転コード、操作コード、及び操作コードの反転コードよりなる。非解除信号は、視聴制限の非解除の制御を指示するための５ビットのコードであり、例えば、１００００のコードよりなる。リーダコード、機器コード、及び操作コードは、図４（ａ）に示したコードと同様である。
【００４１】
図５乃至図７は、遠隔操作装置２の制御部２８及びテレビジョン受像機１の制御部１４ａに係る視聴操作の処理手順を示すフローチャートである。まず、図５に示すように遠隔操作装置２の制御部２８は、認証番号設定ボタン２１の操作状態を検出し、認証番号設定ボタン２１が押圧されたか否かを判定する（ステップＳ１）。認証番号設定ボタン２１が押圧されたと判定した場合（ステップＳ１：ＹＥＳ）、制御部２８は、認証番号の設定に係るサブルーチンを呼び出す（ステップＳ２）。
【００４２】
図８は、認証番号の設定に係るサブルーチンの処理手順を示すフローチャートである。認証番号の設定に係るサブルーチンを呼び出した場合、制御部２８は、被認証番号の受付状態にあることを表示パネル２７に表示し、４桁の数字からなる被認証番号を受け付ける（ステップＳ２１）。具体的には、チャンネルボタン２４の操作状態を検出し、チャンネルボタン２４により指定された番号を被認証番号として受け付ける。
【００４３】
ステップＳ２１の処理を終えた場合、制御部２８は、ステップＳ２１の処理により受け付けた被認証番号と、記憶部２９が記憶している認証番号とが一致しているか否かを判定する（ステップＳ２２）。初期状態にある遠隔操作装置２の記憶部２９は、認証番号００００を記憶しており、制御部２８は、認証番号００００と被認証番号とが一致しているか否かを判定する。
【００４４】
被認証番号と、認証番号とが一致していると判定した場合（ステップＳ２２：ＹＥＳ）、制御部２８は、新たな認証番号の受付状態にあることを表示パネル２７に表示し、新たに設定する数字４桁の認証番号を受け付ける（ステップＳ２３）。具体的には、チャンネルボタン２４の操作状態を検出し、指定された番号を新たな認証番号として受け付ける。ステップＳ２３の処理を終えた場合、制御部２８は、新たな認証番号を登録したことを表示パネル２７に表示し、受け付けた新たな認証番号を記憶部２９へ書き込む（ステップＳ
２４）。
【００４５】
被認証番号と認証番号とが一致しないと判定した場合（ステップＳ２２：ＮＯ）、制御部２８は、認証に失敗した旨を表示パネル２７に表示する（ステップＳ２５）。ステップＳ２４又はステップＳ２５の処理を終えた場合、制御部２８は、認証番号の設定に係るサブルーチンの処理を終える。
【００４６】
図５に示すように、ステップＳ２のサブルーチンの処理を終えた場合、又はステップＳ１において認証番号設定ボタン２１が押圧されていないと判定した場合（ステップＳ１：ＮＯ）、認証ボタン２２の操作状態を検出し、認証ボタン２２が押圧されたか否かを判定する（ステップＳ３）。認証ボタン２２が押圧されたと判定した場合（ステップＳ３：ＹＥＳ）、制御部２８は、認証に係るサブルーチンを呼び出す（ステップＳ４）。
【００４７】
図９は、認証に係るサブルーチンの処理手順を示すフローチャートである。認証に係るサブルーチンを呼び出した場合、制御部２８は、被認証番号の受付状態にあることを表示パネル２７に表示し、被認証番号を受け付ける（ステップＳ４１）。
【００４８】
ステップＳ４１の処理を終えた場合、制御部２８は、ステップＳ４１の処理により受け付けた被認証番号と記憶部２９が記憶している認証番号とが一致しているか否かを判定する（ステップＳ４２）。被認証番号と認証番号とが一致していると判定した場合（ステップＳ４２：ＹＥＳ）、制御部２８は、認証状態を認証済に設定する（ステップＳ４３）。つまり、制御部２８は、認証済であることを示すフラグを記憶部２９へ書き込む。そして、制御部２８は、認証済である旨を表示パネル２７に表示する（ステップＳ４４）。
【００４９】
被認証番号と認証番号とが一致しないと判定した場合（ステップＳ４２：ＮＯ）、制御部２８は、認証に失敗した旨を表示パネル２７に表示する（ステップＳ４５）。ステップＳ４４又はステップＳ４５の処理を終えた場合、制御部２８は、認証に係るサブルーチンの処理を終える。
【００５０】
図５に示すように、ステップＳ４のサブルーチンの処理を終えた場合、又はステップＳ３において認証ボタン２２が押圧されていないと判定した場合（ステップＳ３：ＮＯ）、制御部２８は、視聴制限ボタン２３の操作状態を検出し、視聴制限ボタン２３が押圧されたか否かを判定する（ステップＳ５）。視聴制限ボタン２３が押圧されたと判定した場合（ステップＳ５：ＹＥＳ）、図６に示すように制御部２８は、記憶部２９から認証状態を示すフラグを読み出し、認証済であるか否かを判定する（ステップＳ６）。認証済であると判定した場合（ステップＳ６：ＹＥＳ）、制御部２８は、認証済であり、視聴制限を行うチャンネルの受付状態にあることを表示パネル２７に表示する（ステップＳ７）。
【００５１】
次いで、制御部２８は、チャンネルボタン２４の操作状態を検出してチャンネルボタン２４が押圧されたか否かを判定する（ステップＳ８）。チャンネルボタン２４が押圧されたと判定した場合（ステップＳ８：ＹＥＳ）、制御部２８は、指定されたチャンネルボタン２４に応じて、選択されたチャンネル及び視聴制限に係る操作信号を送信する（ステップＳ９）。チャンネルボタン２４が押圧されていないと判定した場合（ステップＳ８：ＮＯ）、制御部２８は、再度ステップＳ８の処理を実行する。
【００５２】
ステップＳ９の処理により遠隔操作装置２から送信された、選択されたチャンネル及び視聴制限に係る操作信号を、受信部１１により受信した場合、テレビジョン受像機１の制御部１４ａは、視聴制限を行うチャンネルを記憶部１５に書き込む（ステップＳ１０１）。
【００５３】
ステップＳ６において認証済でないと判定した場合（ステップＳ６：ＮＯ）、遠隔操作装置２の制御部２８は、未認証の状態であり、視聴制限を行うためには認証が必要である旨を表示パネル２７に表示する（ステップＳ１０）。
【００５４】
ステップＳ９若しくはステップＳ１０の処理を終えた場合、又はステップＳ５において、視聴制限ボタン２３が押圧されていないと判定した場合（ステップＳ５：ＮＯ）、制御部２８は、電源ボタン２０の操作状態を検出し、電源ボタン２０が押圧されたか否かを判定する（ステップＳ１１）。電源ボタン２０が押圧されたと判定した場合（ステップＳ１１：ＹＥＳ）、制御部２８は、認証状態を初期化する（ステップＳ１２）。つまり、制御部２８は、未認証の状態にあることを示すフラグを記憶部２９へ書き込む。次いで、制御部２８は、テレビジョン受像機１の電源のオン／オフに係る操作信号を送信部２６より送信する（ステップＳ１３）。
【００５５】
ステップＳ１３の処理により遠隔操作装置２から送信された操作信号を、受信部１１により受信した場合、テレビジョン受像機１の制御部１４ａは、電源及び視聴制限をオン／オフする（ステップＳ１０２）。つまり、制御部１４ａは、チューナ部１４ｂ、中間周波増幅部１４ｃ、信号処理部１６、表示部１２、スピーカ１３等への給電をオン／オフする。また、制御部１４ａは、電源のオン／オフに合わせて、選択されているチャンネル、及び視聴制限を行うチャンネルを示す信号を信号処理部１６へ出力する処理を開始／停止する。
【００５６】
ステップＳ１３の処理を終えた場合、又はステップＳ１１において電源ボタン２０が押圧されていないと判定した場合（ステップＳ１１：ＮＯ）、図７に示すように、遠隔操作装置２の制御部２８は、チャンネルボタン２４の操作状態を検出し、チャンネルボタン２４が押圧されたか否かを判定する（ステップＳ１４）。チャンネルボタン２４が押圧されたと判定した場合（ステップＳ１４：ＹＥＳ）、制御部２８は、認証状態を示すフラグを記憶部２９から読み出し、認証済であるか否かを判定する（ステップＳ１５）。
【００５７】
認証済であると判定した場合（ステップＳ１５：ＹＥＳ）、制御部２８は、解除信号と、チャンネル選択に係る操作信号とを送信する（ステップＳ１６）。認証済でないと判定した場合（ステップＳ１５：ＮＯ）、制御部２８は、非解除信号と、チャンネル選択に係る操作信号とを送信する（ステップＳ１７）。そして、制御部２８は、未認証の状態にある旨を表示パネル２７に表示する（ステップＳ１８）。
【００５８】
ステップＳ１６又はステップＳ１７の処理により遠隔操作装置２から送信された解除信号又は非解除信号と、チャンネル選択に係る操作信号とを、受信部１１により受信した場合、テレビジョン受像機１の制御部１４ａは、解除信号を受信したか否かを判定する（ステップＳ１０３）。解除信号を受信したと判定した場合（ステップＳ１０３：ＹＥＳ）、制御部１４ａは、操作信号に係るチャンネルの視聴制限を解除する（ステップＳ１０４）。つまり、受信部１１にて解除信号を受信した場合、制御部１４ａは、視聴制限を行うチャンネルを解除するように、視聴制限を行うチャンネルを示すデータを変更し、変更したデータを記憶部１５へ書き込む。ステップＳ１０４の処理を終えた場合、又はステップＳ１０３において解除信号を受信していないと判定した場合（ステップＳ１０３：ＮＯ）、制御部１４ａは、操作信号に係るチャンネルを選択するためのチャンネル選択信号をチューナ部１４ｂへ出力する（ステップＳ１０５）。
【００５９】
視聴制限されていないチャンネルが選択された場合、信号処理部１６は、チャンネルに係るＲＧＢ信号及び音声信号を表示部１２及びスピーカ１３へ出力する。視聴制限されているチャンネルが選択された場合、所定のＲＧＢ信号及び音声信号を表示部１２及びスピーカ１３へ出力し、視聴制限を行う。
【００６０】
遠隔操作装置２の制御部２８は、ステップＳ１６若しくはステップＳ１８の処理を終えた場合、又はステップＳ１４においてチャンネルボタン２４が押圧されていないと判定した場合（ステップＳ１４：ＮＯ）、処理をステップＳ１へ戻す。
【００６１】
このように構成される遠隔操作装置２にあっては、認証番号と被認証番号との認証を遠隔操作装置２側にて行い、テレビジョン受像機１へは解除信号が送信されるため、被認証番号を送信する場合に比して、テレビジョン受像機１の視聴制限解除に関する操作制が高くなる。
【００６２】
また、視聴制限を解除するための認証処理を遠隔操作装置２側にて行うため、テレビジョン受像機のハードウェア構成の変化に合わせて認証処理に係るソフトウェアを再設計する必要はない。従って、総合的に遠隔操作システムを低コストで製造することが可能となる。
【００６３】
なお、実施の形態においては、テレビジョン受像機を電気機器の一例として説明したが、これに限らず、機能の制限を行うようにしてある電気機器一般に本発明を適用しても良い。
【００６４】
また、数字４桁の被認証番号と、認証情報とを照合するように構成してあるが、他の認証情報、例えば指紋、声紋、虹彩等を照合するように構成しても良い。
【図面の簡単な説明】
【００６５】
【図１】本発明に係る遠隔操作システムの構成を示す模式図である。
【図２】テレビジョン受像機の構成を示すブロック図である。
【図３】遠隔操作装置の構成を示すブロック図である。
【図４】遠隔操作装置が送信する操作信号、解除信号、及び非解除信号のコードを示す概念図である。
【図５】遠隔操作装置の制御部及びテレビジョン受像機の制御部に係る視聴操作の処理手順を示すフローチャートである。
【図６】遠隔操作装置の制御部及びテレビジョン受像機の制御部に係る視聴操作の処理手順を示すフローチャートである。
【図７】遠隔操作装置の制御部及びテレビジョン受像機の制御部に係る視聴操作の処理手順を示すフローチャートである。
【図８】認証番号の設定に係るサブルーチンの処理手順を示すフローチャートである。
【図９】認証に係るサブルーチンの処理手順を示すフローチャートである。
【符号の説明】
【００６６】
１  テレビジョン受像機
２  遠隔操作装置
１０  電源ボタン
１１  受信部
１２  表示部
１３  スピーカ
１４ａ  制御部
１４ｂ  チューナ部
１４ｃ  中間周波増幅部
１４ｄ  映像検波部
１４ｅ  音声検波部
１５  記憶部
１６  信号処理部
１６ａ  視聴制限部
２０  電源ボタン
２１  認証番号設定ボタン
２２  認証ボタン
２３  視聴制限ボタン
２４  チャンネルボタン
２５  音量調整ボタン
２６  送信部
２７  表示パネル
２８  制御部
２９  記憶部
【図１】
2006140833.tif 000003
【図２】
2006140833.tif 000004
【図３】
2006140833.tif 000005
【図４】
2006140833.tif 000006
【図５】
2006140833.tif 000007
【図６】
2006140833.tif 000008
【図７】
2006140833.tif 000009
【図８】
2006140833.tif 000010
【図９】
2006140833.tif 000011